(57)【要約】【課題】            従来の製品では幾多の寸法差がある既設の段差に常にフィットして完全に段差を解消することができ得ないことである。【解決手段】        ブロック構造体は上表面をテーパ面に形成し、底面を床面に沿って接する断面三角形状もしくは三角錐状に構成した高さの異なる複数のブロック体を有し、その各ブロック体の前端を順次一体的に連結させて段差を解消するスロープを前記上表面の連続により構成することとし、全体を三角錐状に構成し、その高さ方向に沿うカッティングラインを後端側から所定の間隔を隔てて複数形成し、目的とする段差の高さに合わせて後端部分を切除して使用することとする。【選択図】          図１
2005336859.tif 000002
【特許請求の範囲】
【請求項１】
上表面をテーパ面に形成し、底面を床面に沿って接する断面三角形状もしくは三角錐状に構成した高さの異なる複数のブロック体を有し、その各ブロック体の前端を順次一体的に連結させて段差を解消するスロープを前記上表面の連続により構成することを特徴とするブロック構造体。
【請求項２】
前記した複数のブロック体のうち、最先端に配置される第一ブロック体はその前端を鋭角として床面と連続されるものであることを特徴とする請求項１に記載のブロック構造体。
【請求項３】
前記した複数のブロック体の一体的な連結は前側となるブロック体の後面から底面にかけて形成された受溝に、後側となるブロック体の前面に形成された断面略Ｌ字状となる係合突部を嵌合することでなされることを特徴とする請求項１または請求項２に記載のブロック構造体。
【請求項４】
全体を三角錐状に構成し、その高さ方向に沿うカッティングラインを後端側から所定の間隔を隔てて複数形成し、目的とする段差の高さに合わせて後端部分を切除して使用することを特徴とするブロック構造体。
【請求項５】
少なくともスロープを構成することとなる上表面は摩擦係数の大きな素材で形成もしくは摩擦係数を大きくする構造としてあることを特徴とする請求項１、請求項２、請求項３または請求項４に記載のブロック構造体。
【発明の詳細な説明】
【技術分野】
【０００１】
本発明はブロック構造体に関し、特に屋内にあって敷居等の存在によって生じる段差を解消して、いわゆるバリアフリー状態を容易に構成することができ、しかも、既設の段差に対しての対応、調整を簡単に行なうことができることとするブロック構造体に関する。
【背景技術】
【０００２】
近年、高齢者や障害者が屋内を歩行移動する際に、敷居等によって形成されている段差に躓き、不測の事故を起こしてしまう事例が多く、また、介護者を乗せた車椅子を走行させるについても前記した段差は大きな障害となってしまう。
【０００３】
上記した既設の段差を解消して、いわゆるバリアフリー状態とするため、いくつかの補助的製品が開発されてはいるが、この現在知られている製品は既設の段差の高さに対する調整がきかない単品構成とされているもので、時として係る製品を使用しても段差を完全に解消してしまうことはできないことがあった。
【特許文献１】本願発明について、出願人は先行する技術について調査したが、格別に類似すると思われる文献は発見できなかった。
【発明の開示】
【発明が解決しようとする課題】
【０００４】
本発明が解決しようとする問題点は、従来の製品では幾多の寸法差がある既設の段差に常にフィットして完全に段差を解消することができ得ないことである。
【課題を解決するための手段】
【０００５】
上記した問題点を解決するために、本発明に係るブロック構造体は上表面をテーパ面に形成し、底面を床面に沿って接する断面三角形状もしくは三角錐状に構成した高さの異なる複数のブロック体を有し、その各ブロック体の前端を順次一体的に連結させて段差を解消するスロープを前記上表面の連続により構成することを特徴とし、前記した複数のブロック体のうち、最先端に配置される第一ブロック体はその前端を鋭角として床面と連続されるものであることを特徴とし、前記した複数のブロック体の一体的な連結は前側となるブロック体の後面から底面にかけて形成された受溝に、後側となるブロック体の前面に形成された断面略Ｌ字状となる係合突部を嵌合することでなされることを特徴としている。
【０００６】
また、本発明に係るブロック構造体は全体を三角錐状に構成し、その高さ方向に沿うカッティングラインを後端側から所定の間隔を隔てて複数形成し、目的とする段差の高さに合わせて後端部分を切除して使用することを特徴としている。
【０００７】
さらに、本発明に係るブロック構造体は少なくともスロップを構成することとなる上表面は摩擦係数の大きな素材で形成もしくは摩擦係数を大きくする構造としてあることを特徴としている。
【発明の効果】
【０００８】
上記した構成としたことにより、各々の既設の段差に応じてスロープを急激なものとすることもなく、自在につなぎあるいはカットすることで容易な調整を行なうことが可能となり、良好にフィットさせて段差を解消することができることとなり、車椅子での走行をスムーズなものとし、また、躓きをなくし、不測の事故を未然に防止することができるものとなっている。
【発明を実施するための最良の形態】
【０００９】
図面として示す実施例の構造とすることで、目的を達成することができるものとして実現した。
【実施例１】
【００１０】
次に、本発明の好ましい実施例を図面を参照して説明する。図１は本発明を実施したブロック構造体を示す断面図、図２は同じく第一ブロックを示す斜視図、図３は同じく他の例を示す斜視図である。
【００１１】
これらの図にあって１は本発明を実施したブロック構造体を示している。このブロック構造体１は本実施例として示す図では五つのブロック２ａ、２ｂ、２ｃ、２ｄ、２ｅの連続連結構成とされている。この各ブロック２ａ〜２ｅは硬質ゴムやプラスチック、セラミック等々適宜な材料により成形されているが、少なくとも各々の上面は摩擦係数の大きなゴムや、あるいは摩擦係数を大きくする粗面として形成され、車椅子の車輪や歩行時における足裏の滑りを防止するものとされている。
【００１２】
上記した各ブロック２ａ〜２ｅのうち、第一ブロック２ａは底面が床面３と沿うものとして、その上面は底面との間で所定の鋭角θを有するテーパ面４が形成された断面が略三角形状とされたものとなっているもので、テーパ面４は床面３と連続されるものとなる。
【００１３】
解決しようとする既設の段差が低く、その段差の壁面にこの第一ブロック２ａの後面を当接させることで済む場合も考えられるが、段差が高い場合、その高さと適合させ、調整するために第二ブロック２ｂ以降のブロックが順次連接されていくこととなる。
【００１４】
この連接は、第一ブロック２ａに後面から底面にかけて切削されて形成された横方向の受溝５が形成されており、この受溝５に第二ブロック２ｂの前端下方に突出された断面Ｌ字状をした係合突部６が嵌め合わされ位置ずれや捩れを生じることのない安定した接続状態を得るものとしている。この連接構造は第二ブロック２ｂ〜２ｅについても同様にして連続される。
【００１５】
また、第二ブロック２ｂ〜２ｅにおける上面のテーパ面は第一ブロック２ａにおけるテーパ面４と同一の角度で形成され、面一に連続するスロープを形成するものとなっている。尚、実施例では第一ブロック２ａ〜２ｅの五つのブロックの連接構成としてあるが、この第五ブロック２ｅの後にもさらに高さの高い第六、第七‥のブロックを連接していくことは可能である。
【００１６】
一つのブロック構造体１のみではまだ目的とする段差を解消することができない場合、前記したように順次高さの高いブロックを連接することもできるが図１として示すように、一つのブロック構造体１を設置した後に、第五ブロック２ｅと高さを略同一とするベース部材７をセットし、そのベース部材７上に別途のブロック構造体１を設置することとすることもできる。係る構成とするとかなりの大きな段差も急激な角度をとることなく緩やかなスロープをもって解消することができることとなる。
【００１７】
さらに、各ブロック２ａ〜２ｅの連接に関しては本実施例として示す構成のほか、ほぞと嵌合穴による連接やダブテール（ありみぞ）を用いた構成等も可能となり、ダブテールの場合、その方向性は縦、横、斜めのいずれでも実行することができ、ほぞの場合、ダブテールの場合、いずれも複数を用いることもできる。
【００１８】
一方、図３は本発明の別の実施例としてのブロック構造体８を示している。このブロック構造体８は硬質ゴム、プラスチック、セラミック等の適宣な材料で成形された単品構成とされているもので少なくとも上面は摩擦係数の大きな構成となっている。
【００１９】
このブロック構造体８は直角三角錐状に形成され、上面をテーパ面９とし、その先端を床面に連続させるものとしている。また、このブロック構造体８にあってはその高さＨ方向に沿って後端側から所定の間隔、例えば５ｍｍごとに周面にカッティングライン１０、１０‥が形成されたものとなっている。
【００２０】
このブロック構造体８は解消すべき段差の高さに合わせて適宣なカッティングライン１０を選び、そのカッティングライン１０に沿って切断し、先端側を使用することとなり、その使用法は残された先端側の後面を段差の壁面に当接させる形態となる。
【産業上の利用可能性】
【００２１】
本実施例におけるブロック構造体１、８は上述のように構成されている。そのため、屋内にあって敷居等の段差の解消のほか、階段のステップの一部に用いることで階段にスロープ部分を形成したり、三和土から上がり框への段差等大きな段差の解消も十分に行なうことが可能となる。
【００２２】
さらには、屋内に限らず屋外にあっても自動車の出入のため歩道と車道との段差を解消したり、公園等の施設にあっても障害となる段差を解消することができるものとなっている。
【図面の簡単な説明】
【００２３】
【図１】本発明を実施したブロック構造体を示す断面図である。
【図２】第一ブロックを示す斜視図である。
【図３】他の例を示す斜視図である。
【符号の説明】
【００２４】
１    ブロック構造体
２ａ  第一ブロック
２ｂ  第二ブロック
２ｃ  第三ブロック
２ｄ  第四ブロック
２ｅ  第五ブック
３    床面
４    テーパ面
５    受溝
６    係合突部
７    ベース部材
８    ブロック構造体
９    テーパ面
１０  カッティングライン
θ    角度
Ｈ    高さ
【図１】
2005336859.tif 000003
【図２】
2005336859.tif 000004
【図３】
2005336859.tif 000005